(57)【要約】【課題】従来に比べて操作性を向上させることができるオーバーヘッドコンソール装置の提供。【解決手段】凹部２１を備えるハウジング２０と、鏡Ｍが設けられており閉位置３０ａと閉位置３０ａから下方に回動した開位置３０ｂとにハウジング２０に回動可能に支持される蓋部材３０と、蓋部材３０をハウジング２０に対して閉位置３０ａに保持する第１の保持装置４０と、蓋部材３０をハウジング２０に対して閉位置３０ａと開位置３０ｂとの間の途中位置３０ｃに保持する第２の保持装置５０と、を有し、第２の保持装置５０は、蓋部材３０に所定の回動操作力を付与することで蓋部材３０を開く方向に回動させることができる程度の保持力で、蓋部材３０を途中位置３０ｃに保持している、オーバーヘッドコンソール装置１０。【選択図】        図８
2010137682.tif 000002
【特許請求の範囲】
【請求項１】
自動車室内の天井に配置され下方に開放する凹部を備えるハウジングと、
鏡が設けられており、前記凹部の開口を閉塞し前記鏡が前記凹部内に収容される閉位置と該閉位置から下方に回動した開位置とに前記ハウジングに回動可能に支持される蓋部材と、
前記蓋部材を前記ハウジングに対して前記閉位置に保持する第１の保持装置と、
前記蓋部材を前記ハウジングに対して前記閉位置と前記開位置との間の途中位置に保持する第２の保持装置と、
を有し、
前記第２の保持装置は、前記蓋部材に所定の回動操作力を付与することで前記蓋部材を開く方向に回動させることができる程度の保持力で、前記蓋部材を前記途中位置に保持している、オーバーヘッドコンソール装置。
【発明の詳細な説明】
【技術分野】
【０００１】
本発明は、自動車室内の天井に配置されるオーバーヘッドコンソール装置に関する。
【背景技術】
【０００２】
特開２００５−１７８６７４号公報は、閉位置と、開位置と、閉位置と開位置との間の途中位置とに、蓋部材がハウジングに対して回動可能とされた、オーバーヘッドコンソール装置を開示している。該公報開示の装置では、蓋部材を操作する毎に蓋部材の位置が、閉位置から途中位置、途中位置から開位置、開位置から閉位置に切り替わるようになっている。
【０００３】
しかし、上記公報開示のオーバーヘッドコンソール装置には、蓋部材を操作する毎に蓋部材の位置が、閉位置から途中位置、途中位置から開位置、開位置から閉位置に切り替わるようになっているため、次の問題点がある。
開位置にある蓋部材を途中位置にするためには、蓋部材を一旦操作して閉位置にしてから再度蓋部材を操作して途中位置にする必要がある。また、途中位置にある蓋部材を閉位置にするためには、蓋部材を一旦開位置に操作してから再度蓋部材を操作して閉位置にする必要がある。このように場合によっては２回の操作が必要になり、操作性に改善の余地がある。
【特許文献１】特開２００５−１７８６７４号公報
【発明の開示】
【発明が解決しようとする課題】
【０００４】
本発明の目的は、従来に比べて操作性を向上させることができるオーバーヘッドコンソール装置を提供することにある。
【課題を解決するための手段】
【０００５】
（１）  自動車室内の天井に配置され下方に開放する凹部を備えるハウジングと、
鏡が設けられており、前記凹部の開口を閉塞し前記鏡が前記凹部内に収容される閉位置と該閉位置から下方に回動した開位置とに前記ハウジングに回動可能に支持される蓋部材と、
前記蓋部材を前記ハウジングに対して前記閉位置に保持する第１の保持装置と、
前記蓋部材を前記ハウジングに対して前記閉位置と前記開位置との間の途中位置に保持する第２の保持装置と、
を有し、
前記第２の保持装置は、前記蓋部材に所定の回動操作力を付与することで前記蓋部材を開く方向に回動させることができる程度の保持力で、前記蓋部材を前記途中位置に保持している、オーバーヘッドコンソール装置。
【発明の効果】
【０００６】
上記（１）のオーバーヘッドコンソール装置によれば、第２の保持装置が、蓋部材に所定の回動操作力を付与することで蓋部材を開く方向に回動させることができる程度の保持力で、蓋部材を前記途中位置に保持しているため、つぎの効果を得ることができる。
（ａ）閉位置から途中位置に蓋部材を移動させるときには、第１の保持装置の保持を解除して蓋部材を直接閉位置から途中位置に回動させるだけでよく、（ｂ）途中位置から閉位置に蓋部材を移動させるときには、蓋部材を直接途中位置から閉位置に回動させるだけでよく、（ｃ）開位置から途中位置に蓋部材を移動させるときには、蓋部材を所定の回動操作力以上の操作力で直接開位置から途中位置まで回動させるだけでよく、（ｄ）途中位置から開位置に蓋部材を移動させるときには、蓋部材を所定の回動操作力以上の操作力で直接途中位置から開位置に回動させるだけでよく、（ｅ）閉位置から開位置に蓋部材を移動させるときには、第１の保持装置の保持を解除して蓋部材を所定の回動操作力以上の操作力で直接途中位置を超えて開位置に回動させるだけでよく、（ｆ）開位置から閉位置に蓋部材を移動させるときには、蓋部材を所定の回動操作力以上の操作力で直接途中位置を越えて閉位置に回動させるだけでよい。
そのため、閉位置、開位置、途中位置のいずれの位置からも、蓋部材を一回操作するだけで蓋部材を他の一つの位置に移動させることができる。したがって、従来に比べて操作性を向上させることができる。
【発明を実施するための最良の形態】
【０００７】
図１〜図１１は、本発明実施例１のオーバーヘッドコンソール装置を示しており、図１２は、本発明実施例２のオーバーヘッドコンソール装置を示しており、図１３、図１４は、本発明実施例３のオーバーヘッドコンソール装置を示している。
本発明全実施例にわたって共通する部分には、本発明全実施例にわたって同じ符号を付してある。
まず、本発明全実施例にわたって共通する部分を説明する。なお、図中、Ｕｐは車両上方を示し、Ｆｒは車両前方を示す。
【０００８】
本発明実施例のオーバーヘッドコンソール装置１０は、自動車室内の天井の車両前方側端部又はその近傍に配置される。
オーバーヘッドコンソール装置１０は、図３に示すように、自動車室内の天井に配置され下方に開放する凹部２１を備えるハウジング２０と、鏡Ｍが設けられており凹部２１の開口を閉塞し鏡Ｍが凹部２１内に収容される閉位置３０ａと閉位置３０ａから下方に回動した開位置３０ｂとにハウジング２０に回動可能に支持される蓋部材３０と、図４に示すように、蓋部材３０をハウジング２０に対して閉位置３０ａに保持する第１の保持装置４０と、図８に示すように、蓋部材３０をハウジング２０に対して閉位置３０ａと開位置３０ｂとの間の途中位置３０ｃに保持する第２の保持装置５０と、を有する。
【０００９】
ハウジング２０は、たとえば樹脂製である。ハウジング２０は、車両の内装部材であるオーバーヘッドコンソールに一体に形成されるか、オーバーヘッドコンソールと別体に形成されてオーバーヘッドコンソールに固定して取付けられる。ハウジング２０には、マップランプ、マップランプのオン・オフのためのスイッチを含む各種スイッチ類、等が設けられている。
【００１０】
蓋部材３０は、たとえば樹脂製である。蓋部材３０は、図４〜図６に示すように、閉位置３０ａにあるときの車両前方側端部又はその近傍で、ハウジング２０に車両左右方向と直交する方向（上下方向）に回動可能に支持されている。蓋部材３０は、鏡Ｍが設けられる受け皿部３１と、閉位置３０ａにあるときに車両前後方向に延び凹部２１の開口を閉塞する意匠部３２と、を備えている。
【００１１】
受け皿部３１は、蓋部材３０が閉位置３０ａにあるとき、意匠部３２の車両後方側端部又はその近傍に設けられている。受け皿部３１は、凹部２１の装置幅方向両側壁より装置幅方向中央側に配置されている。受け皿部３１は、蓋部材３０が閉位置３０ａにあるとき、上下方向に延びている。受け皿部３１は、凹部２１に出入り可能とされている。受け皿部３１は、蓋部材３０が閉位置３０ａにあるとき凹部２１に入り込んでおり、蓋部材３０が開位置３０ｂにあるとき凹部２１から下方に出ている。受け皿部３１は、図７に示すように、蓋部材３０の回動軸芯から離れる方向に（蓋部材３０が閉位置３０ａにあるとき車両後方に）凸状に湾曲する、湾曲部３１ａを備える。
【００１２】
鏡Ｍは、後席確認ミラー（カンバセーションミラー）である。鏡Ｍは、受け皿部３１の湾曲部３１ａの車両後方側面に固定して取付けられている。鏡Ｍは、湾曲部３１ａと同方向に凸状に湾曲する凸面鏡である。鏡Ｍは、（ｉ）蓋部材３０が閉位置３０ａにあるとき、図４に示すように凹部２１内に入り込んでおり、（ｉｉ）蓋部材３０が開位置３０ｂにあるとき、図６に示すように凹部２１外にあり、（ｉｉｉ）蓋部材３０が閉位置３０ａと開位置３０ｂとの間の途中位置３０ｃにあるとき、図５に示すように全体又は略全体が凹部２１外にあり、運転席および／または助手席に着座している乗員が後部座席に着座している乗員の様子を鏡Ｍを用いて見ることができるようになっている。
【００１３】
意匠部３２は、図１に示すように、凹部２１の装置幅方向両側壁より装置幅方向中央側に配置されている。意匠部３２は、凹部２１の開口を開閉する。蓋部材３０が閉位置３０ａにあるとき、意匠部３２の下面は意匠面を構成しており、周囲のハウジング２０の意匠面と面一又は略面一になっている。意匠部３２は、受け皿部３１に固定されている。意匠部３２は、受け皿部３１と別体に形成されていてもよいが、部品点数削減のために受け皿部３１と一体に形成されることが望ましい。
【００１４】
受け皿部３１と意匠部３２とで形成されるスペースは、図４〜図６に示すように、小物入れスペースＳとして使用される。蓋部材３０が開位置３０ｂにあるとき、小物入れスペースＳに図示略の小物類を収納及び取出し可能である（小物入れスペースＳを使用可能である）。
【００１５】
蓋部材３０は、閉位置３０ａ、開位置３０ｂまたは途中位置３０ｃのどの位置にあっても車両走行振動等によりハウジング２０に対してがたつくことを抑制するために、たとえばトーションスプリングからなる図示略の付勢部材によって、ハウジング２０に対して開方向に回動付勢されている。ただし、付勢部材は必須の構成要件ではない。蓋部材３０が図示略の付勢部材によって回動付勢されているため、蓋部材３０のハウジング２０に対する回動速度を緩やかにするために、図１〜図３に示すように、ダンパ６０が装置１０に設けられていてもよい。
【００１６】
第１の保持装置４０は、図４〜図６に示すように、蓋部材３０をハウジング２０に対して閉位置３０ａにて保持するとともに（ロックするとともに）、後述のロック解除ノブ４３を操作することで保持解除（ロック解除）する装置である。
【００１７】
第１の保持装置４０は、ハウジング２０と蓋部材３０の一方に設けられるロック部４１と、ハウジング２０と蓋部材３０の他方に設けられロック部４１が引っ掛かり（係合）可能なロック受け部４２と、ロック解除ノブ４３と、を備える。なお、本発明実施例及び図示例では、ロック部４１が蓋部材３０に設けられ、ロック受け部４２がハウジング２０に設けられる場合を示す。
【００１８】
ロック部４１は、蓋部材３０に対して車両左右方向と直交する方向に（蓋部材３０が閉位置３０ａにあるときには車両前後方向）に可動とされている。ロック部４１は、図１０に示すように、ロック解除ノブ４３に設けられる傾斜溝４３ａ内に入り込むピン４１ａを備えている。ロック部４１は、ロック解除ノブ４３を操作したときにピン４１ａが傾斜溝４３ａ内を移動（摺動）することにより、蓋部材３０に対して車両左右方向と直交する方向に移動する。
【００１９】
ロック受け部４２は、ハウジング２０の凹部２１を形成する車両後方側壁の下端部から車両前方に延びて設けられている。ロック受け部４２は、ハウジング２０と別体に形成されていてもよいが、部品点数削減のためハウジング２０と一体に形成されていることが望ましい。
【００２０】
ロック解除ノブ４３は、閉位置３０ａにあるときの蓋部材３０に対して上下方向に可動とされている。ロック解除ノブ４３を上方に変位させることにより（押圧することにより、操作することにより）、ロック部４１とロック受け部４２との係合を解除することができる（第１の保持装置４０の保持（ロック）を解除できる）。
【００２１】
第２の保持装置５０は、図７〜図９に示すように、蓋部材３０をハウジング２０に対して途中位置３０ｃにて保持、保持解除（ロック、ロック解除）する装置である。第２の保持装置５０は、蓋部材３０に所定の回動操作力を付与することで蓋部材３０を開く方向に回動させることができる程度の保持力で、蓋部材３０を途中位置３０ｃに保持する。なお、所定の回動操作力とは、後述の弾性変形部５２を弾性変形させて後述の係合部５１が後述の係合受け部５３から外れる方向に移動する程度の操作力である。
【００２２】
第２の保持装置５０は、ハウジング２０と蓋部材３０の一方に設けられる係合部５１と、ハウジング２０と蓋部材３０のうち係合部５１が設けられる部材に設けられており自身が弾性変形することで係合部５１を係合部５１が設けられる部材に対して変位させる弾性変形部５２と、ハウジング２０と蓋部材３０の他方に設けられ蓋部材３０が途中位置３０ｃにあるときに係合部５１と係合する係合受け部５３と、を備える。なお、本発明実施例および図示例では、係合部５１と弾性変形部５２がハウジング２０に設けられ、係合受け部５３が蓋部材３０に設けられる場合を示す。
【００２３】
係合部５１は、弾性変形可能であってもよく弾性変形不能であってもよい。係合部５１は、蓋部材３０が途中位置３０ｃにあるとき、係合受け部５３と係合しており（係合受け部５３の下面に接触しており）、係合受け部５３の下方への移動、すなわち係合受け部５３が設けられる蓋部材３０の下方への回動を規制している。
【００２４】
弾性変形部５２は、係合部５１と一体に形成されていてもよく、係合部５１と別体に形成されていてもよい。弾性変形部５２は、一端部またはその近傍でハウジング２０に固定され、他端部又はその近傍で係合部５１に固定されている。
【００２５】
係合受け部５３は、弾性変形可能であってもよく弾性変形不能であってもよい。係合受け部５３は、蓋部材３０に一体に形成されていてもよく、別体に形成されて蓋部材３０に固定して取付けられていてもよい。
係合部５１の上下面および／または係合受け部５３の上下面は、傾斜面となっており、係合部５１が係合受け部５３によって押され弾性変形部５２が弾性変形して係合部５１が係合受け部５３から外れる方向に変位することができるようになっている。なお、この傾斜面の傾斜角度を変更することで、第２の保持装置５０の保持力を容易に変更できるようになっている。
【００２６】
ここで、本発明全実施例にわたって共通する作動を説明する。
（ａ）閉位置３０ａにある蓋部材３０を途中位置３０ｃに移動させるとき（図１、図４、図７の状態から図２、図５、図８の状態に移動させるとき）
第１の保持装置４０のロック解除ノブ４３を操作することにより、ロック部４１とロック受け部４２との係合が外れる（第１の保持装置４０の保持（ロック）が解除される）。第１の保持装置４０の保持が解除されると、蓋部材３０は図示略の付勢部材の付勢力と自重（さらに使用者の操作力）によりハウジング２０に対して下方に回動する。蓋部材３０が途中位置３０ｃに達したとき、第２の保持装置５０の係合受け部５３と係合部５１とが係合し蓋部材３０のハウジング２０に対する回動が止まる。
【００２７】
（ｂ）途中位置３０ｃにある蓋部材３０を閉位置３０ａに移動させるとき（図２、図５、図８の状態から図１、図４、図７の状態に移動させるとき）
蓋部材３０を押して上方に回動させる。蓋部材３０が閉位置３０ａに達したとき、第１の保持装置４０のロック部４１がロック受け部４２に係合する。
【００２８】
（ｃ）開位置３０ｂにある蓋部材３０を途中位置３０ｃに移動させるとき（図３、図６、図９の状態から図２、図５、図８の状態に移動させるとき）
蓋部材３０を押して上方に回動させ蓋部材３０が途中位置３０ｃの直前に達したとき、第２の保持装置５０の係合受け部５３が係合部５１に接触する。さらに蓋部材３０を所定の回動操作力以上の力で上方に押すことにより、第２の保持装置５０の弾性変形部５２が弾性変形して復元することで係合受け部５３が係合部５１に係合する（乗り上げる、引っ掛かる）。係合部５１と係合受け部５３とが係合したとき、蓋部材３０が途中位置３０ｃに達する。
【００２９】
（ｄ）途中位置３０ｃにある蓋部材３０を開位置３０ｂに移動させるとき（図２、図５、図８の状態から図３、図６、図９の状態に移動させるとき）
蓋部材３０を所定の回動操作力以上の力で引き下げることにより、弾性変形部５２が弾性変形し係合部５１が係合受け部５３から外れる（第２の保持装置５０の保持（ロック）が解除される）。第２の保持装置５０の保持が解除されると、蓋部材３０は図示略の付勢部材の付勢力と自重（さらに使用者の操作力）によりハウジング２０に対して下方に回動する。蓋部材３０が開位置３０ｂに達したとき、蓋部材３０の一部がハウジング２０の一部に当接して蓋部材３０のハウジング２０に対する回動が止まる。
【００３０】
（ｅ）閉位置３０ａにある蓋部材３０を開位置３０ｂに移動させるとき（図１、図４、図７の状態から図３、図６、図９の状態に移動させるとき）
ロック解除ノブ４３を操作して第１の保持装置４０の保持（ロック）を解除した後、途中位置３０ｃを越えるまでそのまま蓋部材３０を所定の回動操作力以上の力で引き下げることにより、第２の保持装置５０の保持（ロック）も解除される。第２の保持装置５０の保持が解除されると、蓋部材３０は図示略の付勢部材の付勢力と自重（さらに使用者の操作力）によりハウジング２０に対して下方に回動する。蓋部材３０が開位置３０ｂに達したとき、蓋部材３０の一部がハウジング２０の一部に当接して蓋部材３０のハウジング２０に対する回動が止まる。
【００３１】
（ｆ）開位置３０ｂにある蓋部材３０を閉位置３０ａに移動させるとき（図３、図６、図９の状態から図１、図４、図７の状態に移動させるとき）
蓋部材３０を途中位置３０ｃに達するまで所定の回動操作力以上の力で上方に押して回動させることにより、第２の保持装置５０の弾性変形部５２が弾性変形し復元することで係合受け部５３が係合部５１に乗り上げる。そのままさらに蓋部材３０を閉位置３０ａに達するまで上方に押して回動させることにより、蓋部材３０が閉位置３０ａに達する。蓋部材３０が閉位置３０ａに達したとき、第１の保持装置４０のロック部４１がロック受け部４２に係合する。
【００３２】
つぎに、本発明全実施例にわたって共通する作用、効果を説明する。
本発明実施例では、第２の保持装置５０が、蓋部材３０に所定の回動操作力を付与することで蓋部材３０を開く方向に回動させることができる程度の保持力で、蓋部材３０を途中位置３０ｃに保持しているため、つぎの効果を得ることができる。
（ａ）閉位置３０ａから途中位置３０ｃに蓋部材３０を移動させるときには、第１の保持装置４０の保持を解除して蓋部材３０を直接閉位置３０ａから途中位置３０ｃに回動させるだけでよく、（ｂ）途中位置３０ｃから閉位置３０ａに蓋部材３０を移動させるときには、蓋部材３０を直接途中位置３０ｃから閉位置３０ａに回動させるだけでよく、（ｃ）開位置３０ｂから途中位置３０ｃに蓋部材３０を移動させるときには、蓋部材３０を所定の回動操作力以上の操作力で直接開位置３０ｂから途中位置３０ｃまで回動させるだけでよく、（ｄ）途中位置３０ｃから開位置３０ｂに蓋部材３０を移動させるときには、蓋部材３０を所定の回動操作力以上の操作力で直接途中位置３０ｃから開位置３０ｂに回動させるだけでよく、（ｅ）閉位置３０ａから開位置３０ｂに蓋部材を移動させるときには、第１の保持装置４０の保持を解除して蓋部材３０を所定の回動操作力以上の操作力で直接途中位置３０ｃを超えて開位置３０ｂに回動させるだけでよく、（ｆ）開位置３０ｂから閉位置３０ａに蓋部材３０を移動させるときには、蓋部材３０を所定の回動操作力以上の操作力で直接途中位置３０ｃを越えて閉位置３０ａに回動させるだけでよい。
そのため、閉位置３０ａ、開位置３０ｂ、途中位置３０ｃのいずれの位置からも、蓋部材３０を一回操作するだけで蓋部材３０を他の一つの位置に移動させることができる。したがって、従来に比べて操作性を向上させることができる。
【００３３】
本発明図示例では、途中位置３０ｃにある蓋部材３０がハウジング２０に対して傾くことを抑制して装置１０の見栄えを向上させるために、第２の保持装置５０が装置１０の左右両側に合計２箇所設けられている場合を示しているが、第２の保持装置５０は、コスト削減のために、装置１０の左右中央部または左右いずれかの片側のみに設けられていてもよい。
【００３４】
つぎに、本発明各実施例に特有な部分を説明する。
〔実施例１〕（図１〜図１１）
本発明実施例１では、第２の保持装置５０の係合部５１と弾性変形部５２が一体に形成されており、弾性変形部５２が板バネ形状である場合を示している。
係合部５１と弾性変形部５２は、金属製であってもよく、樹脂製であってもよい。係合部５１と弾性変形部５２は、図示例では金属製の場合を示しているが、樹脂製の場合には部品点数削減のためにハウジング２０に一体に形成されていることが望ましい。
係合部５１は、板バネ形状の弾性変形部５２の先端部近傍を折り曲げて形成されている。
【００３５】
本発明実施例１では、係合部５１と弾性変形部５２が一体に形成されているため、係合部５１と弾性変形部５２が別体に形成されている場合に比べて部品点数を削減できる。
また、弾性変形部５２が板バネ形状であり、係合部５１が板バネの先端部近傍を折り曲げることにより形成されているため、板バネの折り曲げ度合いを調節するだけで第２の保持装置５０の保持力を調節することができる。
【００３６】
〔実施例２〕（図１２）
本発明実施例２では、第２の保持装置５０の係合部５１と弾性変形部５２が別体に形成されており、弾性変形部５２が板バネ形状である場合を示している。
弾性変形部５２は、金属製であってもよく、樹脂製であってもよい。弾性変形部５２は、図示例では金属製の場合を示しているが、樹脂製の場合には部品点数削減のためにハウジング２０に一体に形成されていることが望ましい。
係合部５１は、弾性変形部５２の先端部又はその近傍に、接着、溶着、嵌め込み等により取付けられている。
【００３７】
本発明実施例２では、係合部５１と弾性変形部５２が別体に形成されているため、係合部５１の形状を変更するだけで第２の保持装置５０の保持力を調節することができる。
【００３８】
〔実施例３〕（図１３、図１４）
本発明実施例３では、第２の保持装置５０の係合部５１と弾性変形部５２が別体に形成されており、弾性変形部５２がコイルスプリングである場合を示している。
係合部５１は、図１３に示すように球形状であってもよく、図１４に示すように先端面のみが球面とされた円柱形状であってもよい。
【００３９】
本発明実施例３では、係合部５１と弾性変形部５２が別体に形成されているため、係合部５１の形状を変更するだけで第２の保持装置５０の保持力を調節することができる。
【図面の簡単な説明】
【００４０】
【図１】本発明実施例１のオーバーヘッドコンソール装置の、蓋部材が閉位置にあるときの斜視図である。
【図２】本発明実施例１のオーバーヘッドコンソール装置の、蓋部材が途中位置にあるときの斜視図である。
【図３】本発明実施例１のオーバーヘッドコンソール装置の、蓋部材が開位置にあるときの斜視図である。
【図４】本発明実施例１のオーバーヘッドコンソール装置の、蓋部材が閉位置にあるときの断面図である。
【図５】本発明実施例１のオーバーヘッドコンソール装置の、蓋部材が途中位置にあるときの断面図である。
【図６】本発明実施例１のオーバーヘッドコンソール装置の、蓋部材が開位置にあるときの断面図である。
【図７】本発明実施例１のオーバーヘッドコンソール装置の、蓋部材が閉位置にあるときの、蓋部材と第２の保持装置との関係を示す斜視図である。
【図８】本発明実施例１のオーバーヘッドコンソール装置の、蓋部材が途中位置にあるときの、蓋部材と第２の保持装置との関係を示す斜視図である。
【図９】本発明実施例１のオーバーヘッドコンソール装置の、蓋部材が開位置にあるときの、蓋部材と第２の保持装置との関係を示す斜視図である。
【図１０】本発明実施例１のオーバーヘッドコンソール装置の、蓋部材が閉位置にあるときの第１のロック装置とその近傍を示す断面図である。
【図１１】本発明実施例１のオーバーヘッドコンソール装置の、第２の保持装置の係合部と弾性変形部を示す断面図である。
【図１２】本発明実施例２のオーバーヘッドコンソール装置の、第２の保持装置の係合部と弾性変形部を示す断面図である。
【図１３】本発明実施例３のオーバーヘッドコンソール装置の、第２の保持装置の係合部と弾性変形部を示す断面図である。
【図１４】本発明実施例３のオーバーヘッドコンソール装置の、第２の保持装置の係合部と弾性変形部を示す断面図である。
【符号の説明】
【００４１】
１０  オーバーヘッドコンソール装置
２０  ハウジング
２１  凹部
３０  蓋部材
３０ａ  閉位置
３０ｂ  開位置
３０ｃ  途中位置
３１  受け皿部
３２  意匠部
４０  第１の保持装置
４１  ロック部
４２  ロック受け部
４３  ロック解除ノブ
５０  第２の保持装置
５１  係合部
５２  弾性変形部
５３  係合受け部
６０  ダンパ
Ｍ  鏡
Ｓ  小物入れスペース
【図１】
2010137682.tif 000003
【図２】
2010137682.tif 000004
【図３】
2010137682.tif 000005
【図４】
2010137682.tif 000006
【図５】
2010137682.tif 000007
【図６】
2010137682.tif 000008
【図７】
2010137682.tif 000009
【図８】
2010137682.tif 000010
【図９】
2010137682.tif 000011
【図１０】
2010137682.tif 000012
【図１１】
2010137682.tif 000013
【図１２】
2010137682.tif 000014
【図１３】
2010137682.tif 000015
【図１４】
2010137682.tif 000016